(57)【要約】【課題】点光源部からの距離が異なるべく配置された透光部材の全面にわたって、点光源部からの光が点状に視認されることのない照明装置を提供することを目的とする。【解決手段】発光ダイオード２１等からなる複数の点光源部と、該複数の点光源部からの距離が異なるべく配置した透光部材６０とを備えた照明装置１００Ａにおいて、前記点光源部は、前記透光部材６０を介して点状に現れることを防止すべく、前記複数の点光源部から出射される出射光を調整する調整手段を備えてなることを特徴とする。【選択図】図６
2011023138.tif 000002
【特許請求の範囲】
【請求項１】
発光ダイオード等からなる複数の点光源部と、該複数の点光源部からの距離が異なるべく配置した透光部材とを備えた照明装置において、
前記点光源部は、前記透光部材を介して点状に現れることを防止すべく、前記複数の点光源部から出射される出射光を調整する調整手段を備えてなることを特徴とする照明装置。
【請求項２】
前記調整手段は、前記複数の点光源部と前記透光部材との距離に応じて、前記複数の点光源部の配置を異ならせて、出射光を調整してなることを特徴とする請求項１に記載の照明装置。
【請求項３】
前記調整手段は、前記複数の点光源部と前記透光部材との距離が短くなるほど、前記点光源部を密に配置してなることを特徴とする請求項１または２に記載の照明装置。
【請求項４】
前記調整手段は、前記点光源部と前記透光部材との距離よりも隣り合う前記点光源部までの距離を短くすべく、前記点光源部を配置してなることを特徴とする請求項１から３のいずれか一つに記載の照明装置。
【請求項５】
前記調整手段は、密に配置した前記点光源部の配置間隔にて、前記複数の点光源部を配置してなることを特徴とする請求項３または４に記載の照明装置。
【請求項６】
前記調整手段は、前記複数の点光源部と前記透光部材との距離に応じて、前記複数の点光源部に供給される電力を制御し、出射光を調整してなることを特徴とする請求項１に記載の照明装置。
【請求項７】
前記調整手段は、前記複数の点光源部と前記透光部材との距離が短い領域に配置した前記点光源部に供給される電力を制御し、出射光を調整してなることを特徴とする請求項１または６に記載の照明装置。
【請求項８】
前記調整手段は、前記透光部材までの距離が短くなるほど前記点光源部を密に配置すると共に、密に配置した前記点光源部に供給される電力を調整してなることを特徴とする請求項１に記載の照明装置。
【発明の詳細な説明】
【技術分野】
【０００１】
本発明は、複数の点光源部からの距離が異なるべく配置された透光部材の全面にわたって、点光源からの光が点状に視認されることのない照明装置に関する。
【背景技術】
【０００２】
従来の照明装置として、ＬＥＤからの光を透光する透光部材５２０を、光放射方向に配設した照明装置が提案されている（特許文献１参照）。
【０００３】
以下、図１５を用いて上記特許文献１に記載の従来の照明装置について説明すると、指向性の高いチップ形状のＬＥＤパッケージ５１１と、ＬＥＤパッケージ５１１を実装したモジュール基板５１２とを複数個用いて光源部を形成しており、モジュール基板５１２には、同じ発光出力のＬＥＤパッケージ５１１を同じ配置間隔にて実装している。そして、複数のモジュール基板５１２を取り付けた板状の部材５３０と、ＬＥＤパッケージ５１１の光放射方向である光源部の前面に、板状の部材５３０を覆うように取り付けたドーム状の透光部材５２０とを備えた構成である。
【先行技術文献】
【特許文献】
【０００４】
【特許文献１】特開２００９−１１７１６０号公報
【発明の概要】
【発明が解決しようとする課題】
【０００５】
上記従来の照明装置は、光源部の前面にドーム状の透光部材５２０を配設しているため、ＬＥＤパッケージ５１１と透光部材５２０との距離が場所によって異なっている。すなわち、板状の部材の縁部５３０Ｘに取り付けたＬＥＤパッケージ５１１Ｘと透光部材５２０との距離をＸ、板状の部材の中央部５３０Ｙに取り付けたＬＥＤパッケージ５１１Ｙと透光部材５２０との距離をＹとすると、距離Ｘ＜距離Ｙという関係を有しており、透光部材５２０を介して出射される光の強度が異なる。そのため、出射強度が大きな板状の部材の縁部５３０Ｘに取り付けたＬＥＤパッケージ５１１Ｘからの光は、板状の部材の中央部５３０Ｙに取り付けたＬＥＤパッケージ５１１Ｙからの光よりも、透光部材５２０を介して点状に視認されるという問題がある。
【０００６】
本発明は、上記のような従来の構成が有していた問題を解決しようとするものであり、複数の点光源部からの距離が異なるべく配置された透光部材の全面にわたって、ＬＥＤからの光が点状に現れることのない照明装置を提供することを目的とする。
【課題を解決するための手段】
【０００７】
本発明の照明装置は、発光ダイオード等からなる複数の点光源部と、該複数の点光源部からの距離が異なるべく配置した透光部材とを備えた照明装置において、前記点光源部は、前記透光部材を介して点状に現れることを防止すべく、前記複数の点光源部から出射される出射光を調整する調整手段を備えてなることを特徴とする。
【０００８】
上記本発明によれば、透光部材の全面にわたって点光源部からの光が点状に現れることのない、外観的にも優れた照明装置を提供できる。
【０００９】
そして、本発明の照明装置が備える調整手段は、前記複数の点光源部と前記透光部材との距離に応じて、前記複数の点光源部の配置を異ならせて、出射光を調整してなることを特徴とする。また調整手段は、前記複数の点光源部と前記透光部材との距離が短くなるほど、前記点光源部を密に配置してなることを特徴とする。また調整手段は、前記点光源部と前記透光部材との距離よりも隣り合う前記点光源部までの距離を短くすべく、前記点光源部を配置してなることを特徴とする。
【００１０】
上記本発明によれば、複数の点光源部からの光量を抑えることなく、点光源部から出射する出射光が、透光部材を介して点状に現れることのない照明装置を提供できる。
【００１１】
そしてまた、本発明の照明装置が備える調整手段は、密に配置した前記点光源部の配置間隔にて、前記複数の点光源部を配置してなることを特徴とする。
【００１２】
上記本発明によれば、複数の点光源部から発光強度が均一な出射光を形成し、出射光は、透光部材を介して点状に現れることのない照明装置を提供できる。
【００１３】
さらに、本発明の照明装置が備える調整手段は、前記複数の点光源部と前記透光部材との距離に応じて、前記複数の点光源部に供給される電力を制御し、出射光を調整してなることを特徴とする。
【００１４】
上記本発明によれば、点光源部からの光が点状に現れることなく、かつ透光部材の全面にわたって輝度均一な出射光を形成する照明装置を提供できる。
【００１５】
なお、本発明の照明装置が備える調整手段は、前記複数の点光源部と前記透光部材との距離が短い領域に配置した前記点光源部に供給される電力を制御し、出射光を調整してなることを特徴とする。
【００１６】
上記本発明によれば、点状に視認される領域に配置した点光源部の発光輝度を調整することができ、省エネを実現した照明装置を提供できる。
【００１７】
なお、本発明の照明装置が備える調整手段は、前記透光部材までの距離が短くなるほど前記点光源部を密に配置すると共に、密に配置した前記点光源部に供給される電力を調整してなることを特徴とする。
【００１８】
上記本発明によれば、光量を抑えることなく輝度均一な出射光を形成し、点光源部からの光が点状として現れることのない、外観的にも優れた照明装置を提供できる。
【発明の効果】
【００１９】
本発明は、上記のような構成であるため、点光源部からの距離が異なるべく配置された透光部材の全面にわたって、点光源部からの光が点状に現れることのない照明装置を提供する。
【図面の簡単な説明】
【００２０】
【図１】本発明の実施例１を示す照明装置のセンターカバーを外した状態の外観斜視図である。
【図２】本発明の実施例１を示す照明装置の分解斜視図である。
【図３】本発明の実施例１を示す照明装置の平面図である。
【図４】本発明の実施例１を示す照明装置のセンターカバーを外した状態の平面図である。
【図５】図３のＶ−Ｖ線での拡大断面図である。
【図６】図４の透光部材を外した状態の分解斜視図である。
【図７】図６の要部拡大平面図である。
【図８】（Ａ）は図７のＡ−Ａ線での拡大断面図であり、（Ｂ）は図７のＢ−Ｂ線での拡大断面図である。
【図９】図３のＶ−Ｖ線での拡大断面図に関する要部分断面説明図である。
【図１０】（Ａ）は図９のＡ−Ａ線での拡大断面図、（Ｂ）は図９のＢ−Ｂ線での拡大断面図、（Ｃ）は図９のＣ−Ｃ線での拡大断面図、（Ｄ）は図９のＤ−Ｄ線での拡大断面図である。
【図１１】その他の例を示す照明装置の要部拡大平面図である。
【図１２】本発明の実施例２を示す照明装置の要部拡大平面図である。
【図１３】図１２のＡ−Ａ線での拡大断面図である。
【図１４】本発明の実施例３を示す照明装置の回路図である。
【図１５】従来の照明装置の構成を示す断面図である。
【発明を実施するための形態】
【実施例１】
【００２１】
以下、本発明の照明装置に係る実施例１を、図１から図１１に基づいて説明する。
【００２２】
照明装置１００Ａは、照明装置本体である本体フレーム１０、複数の発光ダイオード（以下、ＬＥＤと称す）２１を基板に実装した点光源部としてのＬＥＤモジュール２０Ａ、ＬＥＤモジュール２０Ａに所要の電力（電圧あるいは電流でもよい）を供給する駆動部としての電源ユニット３０、商用電源からの電源線を接続する接続端子４０、ＬＥＤモジュール２０Ａからの光を透過する透光部材としての透光パネル６０、本体フレーム１０の長手方向に沿って設けられ本体フレーム１０と透光パネル６０とを挟持する側板７０、電源ユニット３０、取っ手５０、接続端子４０などを覆う被固定体としてのセンターカバー８０、サイドカバー９０などを備えている。
【００２３】
そして、特に図２に示すように、長方形状の本体フレーム１０の長手方向に沿って２つの仕切板１４、１４を本体フレーム１０上に対設してある。仕切板１４で挟まれる区画は、電源ユニット３０、接続端子４０などがＬＥＤモジュール２０Ａと並置される場所である。また、仕切板１４と本体フレーム１０の長辺側の縁部との間の区画は、それぞれＬＥＤモジュール２０Ａを装着する場所である。すなわち、電源ユニット３０や接続端子４０などを間にして、ＬＥＤモジュール２０Ａが２箇所に分かれて本体フレーム１０に並置されている。
【００２４】
また、特に図２に示すように、センターカバー８０は、その短辺側の一方の縁部８８Ａに本体フレーム１０の長辺方向にスライドさせることにより本体フレーム１０に固定可能な固定装置１１０を備える。なお、センターカバー８０をねじにより固定したり、本体フレーム１０の短辺側の縁部にねじ孔を有する金具を立設しておき、センターカバー８０をその金具に固定したりしてもよい。いずれの場合にも、照明装置１００Ａを天井等に取り付ける際には、センターカバー８０を外しておき、照明装置１００Ａを天井等に取り付けた後、センターカバー８０を照明装置１００Ａに固定することできる。
【００２５】
そしてまた、特に図１、図２に示すように、センターカバー８０は、その長辺側の縁辺がＬ字状に折り曲げた曲部８１を設けてある。曲部８１の縁辺に適長離隔して凹部８２を設けておき、仕切板１４の対応する位置に突起部などの凹部８２を係止し、仮止めを行うための取り付け構造が設けてある。これにより、センターカバー８０が本体フレーム１０の方に窪むことを防止できる。なお、曲部８１の縁辺に凹部８２に代えて凸部を設けておき、仕切板１４の対応する位置に凹部や孔を設けて係止させるようにしてもよい。いずれの構造であっても、センターカバー８０が撓むことを防止することができるものであればよい。
【００２６】
また、特に図３に示すように、センターカバー８０を間にして２つの透光パネル６０が配置されている。透光パネル６０は、図１、図２に示すように、本体フレーム１０の縁部に向かう方向に沿って、本体フレーム１０と透光パネル６０との離隔寸法（透光パネル６０の高さ寸法）が減少するように傾斜させてある。なお、本体フレーム１０と透光パネル６０との離隔寸法（透光パネル６０の高さ寸法）は、本体フレーム１０の中央部や中央部付近など縁部を除く箇所で縁部での寸法よりも大きくすればよい。これにより、ＬＥＤモジュール２０Ａからの光をより広範囲（例えば、本体フレーム１０の長手方向に直交する向き）に照らすことができ、天井面への配光を多く（配光特性を広く）することができる。
【００２７】
すなわち、透光パネル６０は、本体フレーム１０の縁部に向かって離隔寸法が小さくなるように傾斜してある。これにより、例えば、照明装置１００Ａを天井面に設置した場合、透光パネル６０（ＬＥＤモジュール２０Ａ）からの光は、天井面にほぼ垂直に照射されるのみならず、照明装置１００Ａの周辺側にも照射される。このため、照明装置１００Ａの周辺の天井面も光を照射することができ、配光特性を従来よりも広くすることができる。
【００２８】
また、電源ユニット３０は、本体フレーム１０のほぼ中央部に配置してあり、ＬＥＤモジュール２０Ａ及び透光パネル６０は、電源ユニット３０を間にして２つ設けてある。これにより、照明装置１００Ａを天井面に設置した場合、照明装置１００Ａを挟んで両側の天井面への配光を多くすることができ、配光特性をさらに拡げることができる。
【００２９】
なお、上述の例では、ＬＥＤモジュール２０Ａ及び透光パネル６０は、電源ユニット３０を間にして２つ設ける構成であるが、これに限定されるものではなく、例えば、ＬＥＤモジュール２０Ａ及び透光パネル６０を、電源ユニット３０を囲むように周囲に配置してもよい。いずれの場合でも、電源ユニット３０を本体フレーム１０の中央部に配置することにより、本体フレーム１０の縁部付近では傾斜させた透光パネル６０を天井面に近づける（高さ寸法を小さくする）ことができ、配光特性をさらに拡げることができる。
【００３０】
また、特に図４に示すように、本体フレーム１０には、本体フレーム１０を天井等の設置場所に取り付けるための取付孔１１、１１を形成してある。なお、取付孔１１は、一例であって、これに限定されるものではなく、本体フレーム１０を設置場所に取り付けことができる構造であれば、フックや切り欠きなどの部材を用いることもできる。これにより、本体フレーム１０を天井等の設置場所に設置することができる。
【００３１】
また、本体フレーム１０には、複数のビス孔１３を設けることもできる。これにより、天井等に直付けすることもできる。また、本体フレーム１０には、適宜の箇所に電源線などを配線するための配線孔１２、１２を形成してある。
【００３２】
そして、特に図４に示すように、本体フレーム１０に平行して設けられた仕切板１４、１４の間には、適長（例えば、個人の身長にもよるが、人が両手を広げて余裕をもって届く範囲である８０ｃｍ程度）離隔して取っ手５０を設けてある。また、取っ手５０の固定位置は、例えば比較的重量のある電源ユニット３０と本体フレーム１０とのバランス（重心）を考慮して、電源ユニット３０を間にして決定することができる。それにより、作業者は取っ手５０を持って本体フレーム１０を天井面などの設置場所に取り付けるだけで照明装置１００Ａを設置することができる。すなわち、照明装置１００Ａの筐体を取り付けた後にＬＥＤモジュール等の取り付けを行うなどの複数回の取り付け作業が不要であり、１回の取り付け作業で照明装置１００Ａの取り付けが完了するので、作業工程を簡素化することができる。また、取っ手５０を備えているので、作業性が向上する。
【００３３】
また、取っ手５０は、仕切板１４を連結するように設けられている。本体フレーム１０は、板状の構造であるので、離隔した仕切板１４同士を取っ手５０で連結することにより、本体フレーム１０の曲がりなどを抑制することができ、照明装置１００Ａの剛性を高めることができる。
【００３４】
そしてまた、センターカバー８０及び透光パネル６０は、それぞれ平面視が矩形状をなし、仕切板１４をセンターカバー８０と透光パネル６０との境に沿って設けてあり、適長離隔して２つの取っ手５０を設けてある。これにより、照明装置１００Ａの寸法が大きい場合でも、照明装置１００Ａの剛性をさらに高めるとともに、両手で２つの取っ手５０を持って本体フレーム１０を天井等に取り付けることができるので、作業性がさらに良くなる。
【００３５】
図５は図３のＶ−Ｖ線断面図である。図５に示すように、本体フレーム１０上に電源ユニット３０を間にしてＬＥＤモジュール２０Ａが設けられている。このため、点光源部と電源部とを２段構造とする場合に比べて、照明装置１００Ａの高さ寸法（厚み）を小さくすることができ、薄型の照明装置を実現することができる。
【００３６】
また、ＬＥＤモジュール２０Ａの基板には、電源ユニット３０からの配線を接続するためのコネクタ２３を実装している。また、ＬＥＤモジュール２０Ａからの光を効率良く照射するため、断面視が略コの字状に折り曲げた反射シート２２を設けている。反射シート２２の両縁は、透光パネル６０の両縁に位置するように配置してある。これにより、ＬＥＤモジュール２０Ａからの光が照明装置１００Ａ内部に漏れることを防止して、光の取り出し効率を向上させることができる。
【００３７】
また、ＬＥＤモジュール２０Ａからの光を透過する透光パネル６０に隣接して着脱可能なセンターカバー８０を配置してあるので、ＬＥＤモジュール２０Ａからの光を遮ることがない。また、照明装置１００Ａを天井等に取り付ける際には、センターカバー８０を外しておき、本体フレーム１０を天井などの設置場所に取り付けた後、センターカバー８０を固定することができるので、作業効率が向上する。
【００３８】
次に、複数のＬＥＤ２１を基板に実装した点光源部としてのＬＥＤモジュール２０Ａが備える調整手段についてより詳細に説明する。
【００３９】
図６は、本発明の実施例１を示す照明装置１００Ａのセンターカバー８０を外し、かつＬＥＤモジュール２０Ａが視認可能な様に透光パネル６０を外した状態の分解斜視図である。図４とは異なり本体フレーム１０に設けたビス孔１３の数が異なるが、上記に説明したとおり天井等に直付け可能な数が設けられていれば良い。図７は、複数のＬＥＤ２１を基板に実装したＬＥＤモジュール２０Ａの要部拡大平面図であり、図８は、その断面図である。図８（Ａ）は図７のＡ−Ａ線での拡大断面図であり、ＬＥＤ２１を横一列に２２個実装している。また、図８（Ｂ）は図７のＢ−Ｂ線の拡大断面図であり、ＬＥＤ２１を横一列に２０個実装している。図９は、図３のＶ−Ｖ線の拡大断面図に、ＬＥＤ２１と透光パネル６０との距離を示す説明を追加した要部分断面説明図である。図１０は、図９の断面図であり、図１０（Ａ）は図９のＡ−Ａ線の拡大断面図であり、ＬＥＤ２１と透光パネル６０との距離をａとしている。同様に、図１０（Ｂ）は図９のＢ−Ｂ線の拡大断面図であり、ＬＥＤ２１と透光パネル６０との距離をｂ、図１０（Ｃ）は図９のＣ−Ｃ線の拡大断面図であり、ＬＥＤ２１と透光パネル６０との距離をｃ、図１０（Ｄ）は図９のＤ−Ｄ線の拡大断面図であり、ＬＥＤ２１と透光パネル６０との距離をｄとしている。
【００４０】
ＬＥＤモジュール２０Ａは、特に図６に示すように、複数のＬＥＤ２１を実装した基板であり、仕切板１４と本体フレーム１０の長辺側の縁部との間の区画に、それぞれＬＥＤモジュール２０Ａを取り付けている。すなわち、電源ユニット３０や接続端子４０などを間にして、ＬＥＤモジュール２０Ａが２箇所に分かれて本体フレーム１０に並置しており、それぞれ４つのＬＥＤモジュール２０Ａを本体フレーム１０の長辺方向に沿ってビス１２０により取り付けている。
【００４１】
また、特に図７、図８に示すように、１つのＬＥＤモジュール２０Ａは、横方向に４列にわたってＬＥＤ２１を配置しており、透光パネル６０までの距離が長い仕切板１４側にはＬＥＤ２１を２０個配置し、透光パネル６０までの距離が短い側板７０にはＬＥＤ２１を２２個配置している。
【００４２】
そして、透光パネル６０は、ＬＥＤモジュール２０Ａからの光を透光する透光部材であり、本体フレーム１０の縁部である側板７０に向かってＬＥＤ２１との間隔寸法が小さくなるように傾斜して設けてある。そのため、ＬＥＤ２１は、透光パネル６０との隔離寸法が小さくなるほど、列ごとの配置間隔が密に（狭く）なるように配置してある。すなわち、ＬＥＤ２１と透光パネル６０との距離に応じて、ＬＥＤ２１の配置を異ならせており、透光パネル６０までの距離（間隔）が短く（狭く）なるほど、隣り合うＬＥＤ２１間の距離（配置ピッチ）が密となるようにＬＥＤ２１を配置している。このように、透光パネル６０までの距離に応じて配置間隔を異ならせることにより、ＬＥＤモジュール２０Ａからの光量を抑えることなく、各ＬＥＤ２１から出射する出射光が、透光パネル６０を介して点状に現れることのない照明装置１００Ａを提供できる。
【００４３】
図９、図１０に基づいて説明すると、例えば、ＬＥＤモジュール２０Ａの全面にわたって隣り合うＬＥＤ２１間の距離（配置ピッチ）が均一となるべくＬＥＤ２１を配置した場合には、各ＬＥＤ２１から透光パネル６０までの距離（ｄ≦ｃ≦ｂ≦ａ）に応じて、各ＬＥＤ２１から出射する出射光の強度は、透光パネル６０を介してＡ列、Ｂ列、Ｃ列、Ｄ列と順に明るくなる。すなわち、各ＬＥＤ２１からの光が透光パネル６０を透光する領域を透光領域とすると、ＬＥＤ２１の光は指向性が強く、周辺に拡散しにくいため、透光パネル６０までの距離に応じて透光領域の大きさを異ならせる。Ｄ列に配置したＬＥＤ２１からの光は、透光パネル６０までの距離が短いため、Ａ列に配置したＬＥＤ２１からの光よりもより小さな透光領域を形成する。しかし、各ＬＥＤ２１の発光出力が同じであれば、各透光領域の大きさに応じて発光強度が異なるため、小さな透光領域からの出射する出射光の出射強度は大きく、また大きな透光領域からの出射光の出射強度は小さくなる。そのため、形成する透光領域が小さいＤ列に配置したＬＥＤ２１からの出射光は、透光パネル６０を介して周辺部よりもより際立って明るく現れ、点状として視認される。さらに、隣り合う透光領域が重なり合わない領域が発生すると、透光パネル６０を介してその領域は暗部として視認される。そのため、透光パネル６０までの距離に応じて光ムラが発生する。
【００４４】
そこで、点光源部の調整手段として、Ｄ列に配置した各ＬＥＤ２１の配置間隔を密にし、透光パネル６０上に形成される隣り合う透光領域の少なくとも一部が重なり合うように調整することにより、Ｄ列に配置したＬＥＤ２１からの光が点状に現れることを防止することができる。すなわち、ＬＥＤ２１からの光が、透光パネル６０を介して点状に現れないための条件として、透光パネル６０までの距離をｘ、隣り合うＬＥＤ２１間の距離（配置ピッチ）をｘ’とすると、ｘ＞ｘ’の関係を満たす必要がある。つまり、ＬＥＤ２１と透光パネル６０との距離よりも隣り合うＬＥＤ２１間の距離を短くする必要がある。このようにＬＥＤ２１を配置することにより、ＬＥＤ２１からの光量を抑えることなく、ＬＥＤ２１からの光が点状として視認されることのない、光ムラを抑制した外観的にも優れた照明装置１００Ａを提供できる。
【００４５】
本発明の照明装置１００Ａは、Ａ列（最も仕切板１４側の横一列）に配置したＬＥＤ２１と透光パネル６０との距離をａ、隣り合うＬＥＤ２１間の距離（配置ピッチ）ａ’とすると、ＬＥＤ２１は、ａ＞ａ’の関係を満たすように実装している。また、Ｄ列（最も側板７０側の横一列）に配置したＬＥＤ２１と透光パネル６０との距離をｄ、隣り合うＬＥＤ２１間の距離（配置ピッチ）ｄ’とすると、ＬＥＤ２１は、ｄ＞ｄ’の関係を満たすように実装している。同様に、Ｂ列では、透光パネル６０までの距離ｂ＞隣り合うＬＥＤ２１間の距離（配置ピッチ）ｂ’の関係を満たすように、Ｃ列では、透光パネル６０までの距離ｃ＞隣り合うＬＥＤ２１間の距離（配置ピッチ）ｃ’の関係を満たすようにＬＥＤ２１を配置している。このようにＬＥＤ２１を配置することにより、ＬＥＤ２１から出射した出射光は、透光パネル６０を介して周辺部よりもより際立って明るく現れることなく、また点状として視認されることがない。
【００４６】
また、隣り合うＬＥＤ２１間の距離（配置ピッチ）として、横方向の距離にて説明したが、縦方向（ＬＥＤモジュール２０Ａの長辺と垂直方向）におけるＬＥＤ２１間の距離についても同様のことがいえる。
【００４７】
そして上記説明では、調整手段として、１つのＬＥＤモジュール２０Ａ上に配置するＬＥＤ２１を、仕切板１４側と側板７０側とで異ならせ（疎密をつけ）、合計８８個のＬＥＤ２１を配置した。しかし、透光パネル６０までの距離に応じて、配置間隔を適宜変更することができる。例えば、図１１では、仕切板１４に最も近く、透光パネル６０までの距離が長いＡ列には１５個のＬＥＤ２１を実装しており、Ｂ列、Ｃ列には２０個、最も側板７０に近く、透光パネル６０までの距離が短いＤ列には、２５個のＬＥＤ２１が実装してある。すなわち、透光パネル６０までの距離に応じて、ＬＥＤ２１の配置間隔を異ならせているが、１つのＬＥＤモジュール２０Ａ合計８０個のＬＥＤ２１を配置している。そのため、透光パネル６０を介して点状に視認されることなく、かつＬＥＤ２１の配置数を削減することができ、コストを削減した照明装置１００Ａとなる。
【実施例２】
【００４８】
次に、本発明の照明装置１００Ｂに係る実施例２を、図１２、図１３に基づいて説明する。
【００４９】
実施例１では、点光源部の調整手段として、透光パネル６０までの距離に応じてＬＥＤモジュール２０Ａに配置するＬＥＤ２１の数を、横一列に２２個または２０個と異ならせていたが、実施例２における調整手段としては、１つのＬＥＤモジュール２０Ｂに、ＬＥＤ２１を横一列に２２個実装した列を４列にわたって配置した構成であり、その他の構成については実施例１と同一であるため同一の符号を付して、その詳細な説明を省略する。
【００５０】
図１２は、本発明の実施例２を示す照明装置１００Ｂの要部拡大平面図であり、ＬＥＤ２１を横一列に２２個実装している。図１３は、Ａ−Ａ線での拡大断面図である。
【００５１】
ＬＥＤモジュール２０Ｂは、透光パネル６０までの距離が最も短い側板７０側において、透光パネル６０までの距離よりも隣り合うＬＥＤ２１間の距離の方が短くなるようにＬＥＤ２１を横一列に２２個実装している。そして、透光パネル６０パネルまでの距離が長くなる仕切板１４側においても、同一の配置間隔（横一列に２２個）にてＬＥＤ２１を実装している。すなわち、ＬＥＤモジュール２０Ｂの全面にわたって、透光パネル６０までの距離が最短の領域に配置した（密に配置した）ＬＥＤ２１の配置間隔をもって、その他の複数のＬＥＤ２１を配置している。このように透光パネル６０までの距離が短い領域に配置するＬＥＤ２１の配置間隔に合わせるようにその他のＬＥＤ２１を配置することにより、ＬＥＤ２１からの光は、ＬＥＤモジュール２０Ｂの全面にわたって発光強度が均一になると共に、光量を抑えることなく、透光パネル６０を介して点状に視認されることのない照明装置１００Ｂを提供できる。
【実施例３】
【００５２】
次に、本発明の照明装置１００Ｃに係る実施例３を、図１４に基づいて説明する。
【００５３】
実施例１、２では調整手段として、ＬＥＤモジュール２０Ａ、２０Ｂと透光パネル６０との距離に応じてＬＥＤ２１の配置を異ならせていたが、実施例３における調整手段としては、透光パネル６０までの距離に応じて複数のＬＥＤ２１に供給される電力を制御し、ＬＥＤ２１からの出射光を調整する構成であり、その他の構成については実施例１、２と同一であるため同一の符号を付して、その詳細な説明を省略する。
【００５４】
実施例３における点光源部の調整手段は、ＬＥＤモジュール２０Ｃに所要の電力（電圧や電流であってもよい）を供給する駆動部としての電源ユニット３０を用いて、ＬＥＤ２１を調整しており、電源ユニット３０には、ＬＥＤ２１と透光パネル６０との距離に応じて複数のＬＥＤ２１に供給される電力を制御する定電力制御回路３１を備えている。
【００５５】
定電力制御回路３１は、透光パネル６０までの距離がほぼ同じ領域に配置したＬＥＤ２１（ＬＥＤモジュール２０Ｃの横一列に配置したＬＥＤ）を制御する構成であり、１つのＬＥＤモジュール２０Ｃにおいて、透光パネル６０までの距離が同じ横一列に配置したＬＥＤ２１を並列に連結し、定電力制御回路３１を接続することにより、列ごとの電力制御が可能となる。そのため、ＬＥＤ２１からの光が点状に現れることなく、透光パネル６０の全面にわたって輝度均一な出射光を形成する照明装置１００Ｃを提供できる。
【００５６】
また、上記実施例１にて説明したように、例えば、ＬＥＤ２１の発光出力が同じであり、隣り合うＬＥＤ２１間の距離（配置ピッチ）が均一であれば、ＬＥＤモジュール２０Ａと透光パネル６０との距離（ｄ≦ｃ≦ｂ≦ａ）に応じて、透光パネル６０での輝度もＡ列、Ｂ列、Ｃ列、Ｄ列と順に明るくなるため、光ムラが発生する。そのため、例えば複数のＬＥＤ２１と透光パネル６０との距離が短い領域に配置したＬＥＤ２１に供給される電力を制御する場合には、透光パネル６０までの距離が長い領域に配置したＬＥＤ２１からの出射光に合わせるように調整を加えるため、消費電力を抑える方向で制御することが可能となり、省エネを実現すると共に、透光パネル６０の全面にわたって輝度均一な出射光を形成することができる。
【００５７】
また、透光パネル６０までの距離が短い領域に配置したＬＥＤ２１の調整のみならず、透光パネル６０までの距離が長い領域に配置したＬＥＤ２１を調整したり、透光パネル６０までの距離に応じてＬＥＤモジュール２０Ｃを領域ごとに分け、制御したりしてもよい。いずれの場合にも、透光パネル６０の全面にわたって輝度均一とすべく各ＬＥＤ２１の制御を行うことができる。
【００５８】
電源ユニット３０の制御方法として、ＬＥＤ２１に供給する電力の調整について説明したが、電力を調整することは電流、電圧又は電流及び電圧を調整することとなるため、実施例３における調整手段としての電力の調整とは、ＬＥＤ２１に供給する電流やＬＥＤ２１に加圧する電圧を調整することを含む。
【００５９】
また、上記実施例１において説明したように、ＬＥＤ２１から透光パネル６０までの距離（隔離寸法）が短くなるほど、隣り合うＬＥＤ２１の配置間隔が密になるようにＬＥＤ２１を配置し、さらに、透光パネル６０から出射する出射光の輝度差に応じてＬＥＤ２１に供給される電力（電流や電圧であってもよい）を調整してもよい。このような調整手段を備えることにより、光量を抑えることなく、透光パネル６０の全面にわたって輝度均一な出射光を形成した照明装置１００Ｃを提供することができる。そして、ＬＥＤ２１からの光は、透光パネル６０を介して点として視認されることなく外観的にも優れ、かつデザイン的にもより薄型な照明装置１００Ｃを提供できる。
【００６０】
以上の通り、上述の実施例１から３では、照明装置１００Ａ、１００Ｂ、１００Ｃは、長方形状のいわゆるストレート型の照明装置について説明したが、照明装置の形状は、ストレート型に限定されるものではなく、いわゆるスクウェア型や円形状のもであってもよい。例えば、円形状の照明装置の場合には、本体フレームは円形状をなし、中央部に電源ユニットを配置し、その周りに同心円状にＬＥＤモジュールを配置すればよい。また、透光パネル６０の形状も長方形状に限定されるものではなく、本体フレームの形状に合わせて、正方形状、円形状、同心円状など他の形状を採用することができる。
【００６１】
また、透光パネル６０は板状のものに限定されるものではなく、断面形状が湾曲した曲面状のもの、あるいは、スリットを形成したものなど、ＬＥＤモジュール等を覆うものであれば種々の構造を用いることができる。例えば、拡散性のあるものを用いた場合には、ＬＥＤからの光が、透光パネルの全面にて拡散するため、各ＬＥＤのばらつきを抑制し、より輝度均一な出射光を得ることができる。
【００６２】
そして、センターカバー８０は、板状のものに限定されるものではなく、断面形状が湾曲した曲面状のもの、あるいは、スリットを形成したものなど、電源ユニット３０等を覆うものであれば種々の構造を用いることができる。
【００６３】
そしてまた、天井に設置する照明装置について説明したが、その他にも、ＬＥＤモジュールと透光パネルとの距離が異なる表示装置等に用いるバックライト、電飾看板、信号機等の標識、線状光源を備えた照明装置、電球等にも利用することができ、また、点光源部としてＬＥＤを用いて説明したが、ＬＥＤの他にも有機ＥＬ、蛍光管、電球等を用いても良い。
【符号の説明】
【００６４】
１００Ａ、１００Ｂ、１００Ｃ  照明装置
１０                          本体フレーム（照明装置本体）
１４                          仕切板
２０Ａ、２０Ｂ、２０Ｃ        ＬＥＤモジュール（点光源部）
２１                          ＬＥＤ
３０                          電源ユニット（駆動部）
３１                          定電力制御回路
６０                          透光パネル（透光部材）
【図１】
2011023138.tif 000003
【図２】
2011023138.tif 000004
【図３】
2011023138.tif 000005
【図４】
2011023138.tif 000006
【図５】
2011023138.tif 000007
【図６】
2011023138.tif 000008
【図７】
2011023138.tif 000009
【図８】
2011023138.tif 000010
【図９】
2011023138.tif 000011
【図１０】
2011023138.tif 000012
【図１１】
2011023138.tif 000013
【図１２】
2011023138.tif 000014
【図１３】
2011023138.tif 000015
【図１４】
2011023138.tif 000016
【図１５】
2011023138.tif 000017